(57)【要約】      （修正有）【課題】高剛性、高硬度、耐摩耗性を有し、変形を防止できるバドミントンヘッドを提供する。【解決手段】バドミントンヘッドは、ボールヘッド本体１と、打球部２と、ＰＵ布層３とを含み、ボールヘッド本体はＰＵ発泡材質であり、打球部は半球形のシェルであり、炭素繊維複合材料で作られ、ボールヘッド本体の前端を覆い、接合され、ＰＵ布層はボールヘッド本体および打球部の外側に貼りつけられている。剛性と硬度が高く、耐久性が向上し、変形を防ぎ、構造の堅牢性と品質を向上させる。【選択図】図１
0003223697.tif 000002
【実用新案登録請求の範囲】
【請求項１】
一種のバドミントンヘッドであり、ボールヘッド本体と、打球部と、ＰＵ布層とを含み、前記ボールヘッド本体はＰＵ発泡材質であり、前記打球部は半球形のシェルであり、炭素繊維複合材料で作られており、前記ボールヘッド本体の前端を覆い、接合されており、前記ＰＵ布層は前記ボールヘッド本体および前記打球部の外側に貼りつけられていることを特徴とするバドミントンヘッド。
【考案の詳細な説明】
【技術分野】
【０００１】
本考案はバドミントンヘッドに関し、特に天然コルクにとってかわり、構造的安定性を改善するために使用されるバドミントンヘッドの技術分野で行われる。
【背景技術】
【０００２】
より高品質のバドミントンヘッドの場合、通常、天然コルクの単一材料の構造形式と、２層構造タイプがある。中でも、天然コルクには毛穴、優れた弾力性、優れた回復性と弾力性があり、他の材料に置き換えることはできないため、バドミントンヘッドはほとんどが天然コルクを原料として使用している。ただし、次のような欠点もある。（１）幅広いプロジェクトの適用、範囲が広く、徐々に使い果たされている。（２）密度が不均一な自然要因により、ボールヘッドへの切削/研削後の重量が不均一になり、生産に必要な重量仕様を制御するのが困難である。（３）天然コルクの構造が不均一である。バドミントンシートを結合するプロセス（ドリル/挿入など）では、バドミントンシートは強くない。品質が良くない場合、接着剤の補強が必要で、接着剤が追加される。重量、仕様、時間と労力を制御することは困難である。（４）重力スイングがされると、ボールの端部の組織が壊れやすくなり、使用効果が低く、抵抗力が良くない。（５）バドミントンシートは強くなく、スイング中の飛行速度または方向は制御が難しく、不安定である。これは、台湾特許公告第３６２９８６号の先行出願にも言及されている。また、２層構造タイプのボールヘッドでは、バドミントンのシートをしっかりと結合するために、上層にＰＶＣ発泡体、下層に天然コルクまたは天然コルクの粉末で形成されている。ただし、次のような別の欠点もある。（１）２つの材料の密度/硬度の違いにより、打撃する時にボールヘッドの変形が生じやすい。（２）上端部と下端部の結合は、スーパーグルーまたはホットメルト接着剤でできている。ただし、接着剤は実際にＰＶＣ発泡体を侵食するため、結合強度が低下するだけでなく、プラスチック発泡体が侵食されるため、テクスチャーが不十分で緩んでいる。したがって、強い打撃の後、天然コルクの下層が内側（ゆるいところ）に押し込まれ、ボールの打球部が内側に収縮してくぼみを形成し、ボールの打撃の感覚に影響を与える。これは、台湾特許公告第３６２５１４号の先行出願にも言及されている。
【０００３】
天然コルクは生産には非常に優れた材料であるが、上記のように克服できない欠陥がまだあるため、改善が必要である。
【先行技術文献】
【特許文献】
【０００４】
【特許文献１】台湾特許公告第３６２９８６号明細書
【特許文献２】台湾特許公告第３６２５１４号明細書
【考案の概要】
【考案が解決しようとする課題】
【０００５】
上記の背景に基づいて、本考案の考案者、天然コルクの使用を放棄し、構造的に安定したコンポーネントに置き換えると、上記の欠陥が改善され、バドミントンヘッドの品質機能がより顕著になると考えた。
【課題を解決するための手段】
【０００６】
上記目的を達成するために、本考案が採用する技術的構造は、ボールヘッド本体、打球部およびＰＵ布層を含むバドミントンヘッドを提供することである。ここで、ボールヘッド本体はＰＵ発泡材質であり、従来の単一材料または二重層構造のボールヘッド本体を置き換えるために使用され、天然コルクの欠陥を排除する。さらに、打球部は、半球形のシェルである炭素繊維複合材料で作られており、ボールヘッド本体の前端に適切に接合しているため、バドミントンヘッドは、高い剛性、高い硬度、耐摩耗性および変形を避けることができる。ＰＵ布層は、ボールヘッド本体および打球部の外側に貼りつけられている。
【０００７】
したがって、本考案の主な目的は、バドミントンヘッドの革新的な構造を提供することである。これにより、伝統的な単一材料または二重層構造がＰＵ発泡材質のボールヘッド本体に置き換えられ、自然なコルクと二重層構造の欠陥を排除する。次に、炭素繊維複合材料で作られた打球部がボールヘッド本体の前端に接合され、それによりボールヘッド本体の剛性と硬度が改善され、耐衝撃性が改善され、変形が回避される。
【考案の効果】
【０００８】
本考案のバドミントンヘッドは、高い剛性、高い硬度、耐摩耗性および変形を避けることができる。従来のバドミントンヘッドの構造と機能とが異なり、全体の品質、耐久性、経済的価値が大幅に向上することができる。
【図面の簡単な説明】
【０００９】
【図１】本考案の第１実施形態の組み合わせ平面断面図である。
【図２】図１の主要構造の分解斜視図である。
【図３】図２の立体組み合わせ図である。
【考案を実施するための形態】
【００１０】
図１を参照すると、本考案の第１実施形態の平面断面図は、バドミントンヘッドがボールヘッド本体１、打球部２およびＰＵ布層３を含むことを示している。図２および図３を参照してください。ボールヘッド本体１は、ＰＵ発泡材質であり、天然コルクの単一材料または二重層構造で構成される従来のボールヘッド本体に代わるものである。ボールヘッド本体１の上端は、バドミントンシート４を挿入するためのものであり、ボールヘッド本体１は天然コルクを有していないため、天然コルクの欠陥がない。打球部２は、半球状のシェルの炭素繊維複合材料で作られており、ボールヘッド本体１の前端部に適切に接合している（図２および図３の図など）ため、ため、バドミントンヘッド本体は、高い剛性、高い硬度、耐摩耗性および変形を避けることができる。さらに、打球部２は、製造管理を容易にし、欠陥率を低減するために、バドミントンヘッドの全体的な重量仕様を調整するための制御因子として使用される。ＰＵ布層３は、図１に示されるように、ボールヘッド本体１および打球部２の外側に貼り付けられている。
【００１１】
上記構造構成に基づいて、本考案は主に、単一材料または天然コルクの二重層構造を含む従来のボールヘッド本体の代わりに、ＰＵ発泡材質のボールヘッド本体１を使用することであることがわかる。したがって、当然のことながら、天然コルク材料自体を入手するのは容易ではなく、構造は良くなく、接着剤は欠落していることなどの欠陥を排除する。さらに、炭素繊維複合材料で作られた打球部２がボールヘッド本体１の前端に接合されており、バドミントンヘッドの全体の重量仕様を調整できるだけでなく、バドミントンヘッドの剛性と硬度を向上させることもでき、耐摩耗性と変形に対して、回避可能である利点を有する。したがって、バドミントンヘッドの全体的な品質を改善し、伝統のバドミントンヘッドの欠陥を排除するのに十分である。
【００１２】
上記の構造と実施形態の説明によれば、本考案は従来のバドミントンヘッドの構造と機能とが異なり、全体の品質、耐久性、経済的価値が大幅に向上することができ、実用新案の産業利用、新規性、および進歩性要件に符合する。
【００１３】
本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００１４】
１  ボールヘッド本体
２  打球部
３  ＰＵ布層
４  バドミントンシート
【図１】
0003223697.tif 000003
【図２】
0003223697.tif 000004
【図３】
0003223697.tif 000005